(57)【要約】【課題】手袋部と袖部を一体化させ間隙を無くし、介護者を湯等の滲入による汚染の危険性から保護する介護者用エプロンを提供することである。【解決手段】介護者用エプロン１の左右両サイド中央部近傍の位置に係止部１０を設けた身頃６の左右両サイド上部に手袋部５ｂと袖部５ａを一体とした袖５を設け、前記手袋部５ｂを一体とした袖５のそれぞれの袖頭４から後方側に該袖５と連続する帯８を設けるとともに、それぞれの帯８の先端に係止片９を設けた。【選択図】        図１
2004225202.tif 000002
【特許請求の範囲】
【請求項１】
介護施設及び医療施設等で着用される介護者用のエプロンであって、左右両サイド中央部近傍の位置に係止部を設けた身頃の左右両サイド上部に手袋部を一体とした袖を設け、前記手袋部を一体とした袖のそれぞれの袖頭から後方側に該袖と連続する帯を設けるとともに、それぞれの帯の先端に係止片を設けるように構成したことを特徴とする介護者用エプロン。
【請求項２】
上記身頃の幅は、左右両サイド中央部近傍の位置に設けた係止部が介護者の体側の位置に至る長さであり、身頃の左右両サイド上部に設けた袖の袖頭から後方側に該袖と連続して設けられる帯が、それぞれ介護者の背中部分を斜めに横切って身頃の左右両サイド中央部近傍の位置に設けられた係止部に至る長さを有することを特徴とする請求項１記載の介護者用エプロン。
【請求項３】
上記帯が袖頭より係止片を設けた先端部に向かって次第に細くなるように構成されることを特徴とする請求項１記載の介護者用エプロン。
【発明の詳細な説明】
【０００１】
【発明が属する技術分野】
本発明は、介護施設等で被介護者を介護する介護者用エプロンに関し、より詳しくは入浴介護及び要介護者の汚物処理作業等に着用する介護者用エプロンに関する。
【０００２】
【従来の技術】
従来、介護施設及び医療施設で被介護者の体の洗浄（以下、入浴介護とも称する）や汚物処理等を行う場合には、湯や汚物が付着しないように、体の前面を保護するエプロンを着用するとともに、手袋をはめて手を保護していた。手首まで保護する手袋を使用すると前腕及び上腕に前記洗浄した湯や汚物が付いたりするばかりでなく、湯が手袋内に入ることがあり、このような場合にはかえって介護者が汚染する可能性が生ずるので、湯が手袋に入るのを防ぐために手袋を前腕まで延長したものを使用していた。しかしながら、手袋を前腕まで延長したものでは、被介護者の体の洗浄を行う場合等で被介護者を抱きかかえる等、作業の種類によっては洗浄に使用した湯が手袋内に入り込んでしまうことがあり、該手袋は完全なる防護の役目を果たしていなかった。
【０００３】
また、介護者の前腕までを保護する袖部５ａと手袋部５ｂを一体化させた保護袖１４も提供されている（図５参照）。内層と外層との二層構造で、内層は防水性、外層は該内層を覆う形状で液体を吸収し袖部５ａに沿って液体が流れるのを遅らせる吸収性の材質から成る。先端の手袋部５ｂは吸収性の材質ではなく、耐水材が使用され、袖部５ａには吸収層である熱溶接部１５が熱溶接加工により形成される。手袋部５ｂとは反対側の袖部５ａの先端部の吸収性の材質が巻き込まれた部分には弾性素材（図示しない）が内設されて保持される。図５においては介護者の肘部分で保持されているが、必要に応じては介護者の肩の長さまで延長される（例えば、特許文献１参照。）。
【０００４】
【特許文献１】
特表平１０−５０４０６５号公報  （第１２頁、第５図）
【０００５】
【発明が解決しようとする課題】
しかしながら特許文献１における保護袖は、袖の開口部が弾性部材により腕もしくは肩に隙間無く保持され、前述の湯等が滲入しにくいという利点はあるが、被介護者の体を洗浄したり、汚物処理をする場合など該保護袖とは別にまたエプロン等を着用する必要が有り、着用枚数が多くなることで手間を要するとともに介護者が介護時に動きを制限されてしまう可能性がある。また該保護袖とエプロンを併用したとしても、保護袖の袖部とエプロンとの間に間隙が生じてしまい、肌或いは衣服が露出し、湯等に濡れてしまうことからは免れない。
【０００６】
【課題を解決するための手段】
上記課題を解決するため本発明の採用した手段を以下に説明する。本発明請求項１記載の介護者用エプロンは、「介護施設及び医療施設等で着用される介護者用のエプロンであって、左右両サイド中央部近傍の位置に係止部を設けた身頃の左右両サイド上部に手袋部を一体とした袖を設け、前記手袋部を一体とした袖のそれぞれの袖頭から後方側に該袖と連続する帯を設けるとともに、それぞれの帯の先端に係止片を設けるように構成したことを特徴とする介護者用エプロン」である。
【０００７】
「係止部」、「係止片」には、フック面とループ面が二枚一組となり両者が係り合うことにより係着される市販のいわゆるマジックテープ（登録商標）が接着される。例えば、介護者用エプロンの身頃の左右両サイド中央部近傍に設けられる係止部にはフック面が、後述の帯の裏面の先端部の位置に設けられる係止片にはループ面が配設され、介護者が係止部に係止片を押圧するだけで簡単に帯を適宜な位置で身頃に係止させることができる。尚、フック面とループ面はどちらに使用することもできる。また、マジックテープ（登録商標）だけではなく、一つの面にフック部とループ部が混在したフリーマジック（登録商標）等も使用可能である。
【０００８】
「手袋部を一体とした袖」とは、通常の手首、肘、上腕までの長さを有す手袋と袖を接着して設けるのではなく、本発明の介護者用エプロンの素材となるポリエチレンやポリプロピレン等の合成樹脂フィルムを手形に重ね合わせ袖部分までの外周を熱融着し手袋と袖を一体化させることである。ポリエチレンやポリプロピレンなどのオレフィン系高分子化合物は引裂強度、防水性、防湿性に長けているため、入浴介護や汚物処理等において着衣すると安全に作業でき、また製造コストも安価である。
【０００９】
また、「袖と連続する帯」とは、通常の介護者用エプロンのように後身頃を設けず、介護者の動きを制限させないために袖を延長する形で介護者用エプロンを介護者の身体に着用させるものである。該帯は介護者がより自由に動けるように袖頭から後袖ぐりを起点として後方に向かって連続して設けられるのであるが、よりハードな動きを要求される作業のためには肩山を起点とし肩全体を覆う形で設けてもよい。そしてサイズはＳ（スモール）、Ｍ（ミディアム）、Ｌ（ラージ）の３サイズで、係止部は身頃の左右両サイド中央部近傍の位置に複数箇所設けたり、長くすることも可能で、介護を行うあらゆる人のサイズに適用できるようにする。また、エプロンドレスや割烹着のように介護者の体を包むように後身頃を身頃と連続して設け、該後身頃の中央部近傍に係止部を配設し帯と後身頃を固定してもよい。その場合、係止部にマジックテープ（登録商標）を設けて係着するのではなく、帯を長めに配設し結ぶことも可能である。
【００１０】
本発明請求項２記載の介護者用エプロンは、「上記身頃の幅は、左右両サイド中央部近傍の位置に設けた係止部が介護者の体側の位置に至る長さであり、身頃の左右両サイド上部に設けた袖の袖頭から後方側に該袖と連続して設けられる帯が、それぞれ介護者の背中部分を斜めに横切って身頃の左右両サイド中央部近傍の位置に設けられた係止部に至る長さを有することを特徴とする請求項１記載の介護者用エプロン」である。
【００１１】
「背中部分を斜めに横切って身頃の左右両サイド中央部近傍の位置に設けられた係止部に至る長さ」とは、前述の左右の帯が背中の略中央部でクロスする形で交差し、該帯の先端部が介護者の身体の側面で係止部と係止片により係着されるのに可能な長さを有しているということである。
【００１２】
本発明請求項３記載の介護者用エプロンは、「上記帯が袖頭より係止片を設けた先端部に向かって次第に細くなるように構成されることを特徴とする請求項１記載の介護者用エプロン」である。
【００１３】
「先端部に向かって次第に細くなる」とは、帯が体側において係止され介護者の動作を制限せずに動きやすくするために先端部に向かうほど幅を細くしたということである。
【００１４】
【発明の実施の形態】
本発明の介護者用エプロンの実施の形態を図１から図４を参考にして詳細に説明する。図１は本発明の介護者用エプロンの正面図、図２は本発明の介護者用エプロンの背面図、図３は本発明の介護者用エプロンの側面図、図４は本発明の介護者用エプロンの他実施例の正面図である。尚、従来の技術の項で説明したエプロンの各部名称と同様の名称においては同じ符号を使用して説明する。
【００１５】
本発明の介護者用エプロン１は前記エプロンドレスや割烹着と似た形状をとるが、通常のエプロンドレスや割烹着のように前身頃と後身頃（いずれも図示しない）を設けるのではなく、身頃６、袖部５ａ、手袋部５ｂが全て一体となって形成される。身頃６は後開きで、介護者の前面のみを覆うものであるので動作がしやすく、入浴介護等の作業での発汗が少ない。また身頃６の身丈は介護者の身長にもよるが、裾１１が介護者のほぼ膝あたりの位置にくる程度であり、身頃６の幅は、該身頃６の脇７が側面から見て介護者の体の中心線よりも僅かに体の後方位置にくる長さである。身頃６の左右両サイド上部に手袋部５ｂと袖部５ａを連続して一体化させた袖５を配設し、該袖５の後袖ぐり１２から後方側へ向かうに従って次第に細くなった帯８を設ける。またこの帯８は用途によって起点箇所を変えても良い。例えば、帯８の起点箇所を袖頭４から後袖ぐり１２の位置に設けるのではなく、肩山３に設けることにより介護者の腕の動作は多少制限されるものの、被介護者の入浴を介助する時など襟ぐり２から湯の侵入を防ぐことができる。帯８を設ける位置を変えると襟ぐり幅２ａも変化し、帯８を設ける位置を肩山３に近づければ近づけるほど襟ぐり幅２ａは小さくなる。
【００１６】
それぞれの帯８の先端部の裏面には該帯８を身頃６の表面に設けられた係止部１０と係着するための係止片９が設けられている。該係止部１０と係止片９はマジックテープ（登録商標）１３が固着されており、該マジックテープ（登録商標）１３の微小なかぎ状のフック部とループ部（いずれも図示しない）が互いに係り合うことにより、係止部１０と係止片９は身頃６の左右両サイド中央部近傍において固定される。左右に設けられた帯８は介護者の背中部分でクロスする形で交差し、右の帯８は身頃６の左側の脇７の中央部近傍に設けられた係止部１０と、左の帯８は身頃６の右側の脇７の中央部近傍に設けられた係止部１０と係着される。また、係止部１０を多少大きく或いは複数設けることで、帯８によるサイズ調節も可能となり、サイズに囚われず介護などをするいかなる人でも使用できる。
【００１７】
また、袖部５ａと手袋部５ｂが一体となった袖５の下に通常使用されている手袋（図示しない）を着用すると更に多様性が増え、高温な液体や汚物を処理するときなどに効果的である。
【００１８】
【発明の効果】
本発明によると、上述のように介護者用エプロンを構成したので、以下のような効果を奏する。該介護者用エプロンは袖部と手袋部を一体化させたので、エプロンの着衣と同時に手袋も着用することができ、別体の手袋を必要とせず、携帯や着脱が容易となる。また手袋部と袖部とに間隙が生じないので、湯、汚物等の滲入を防ぎ、介護者は湯、汚物等の滲入に気を囚われず介護に専念でき、また被介護者と介護者との間で汚染の行き来を防止させ互いが安心できる介護が可能である。そして介護者用エプロンはポリエチレンやポリプロピレン等のオレフィン系高分子化合物から生成されているので、安価なコストで製作でき、汚物処理等の汚れ具合が著しい場合には使い捨てもできる。また防水性、抗菌性にも優れており、何度もリサイクルすることができるので環境問題を考慮した介護者用エプロンを提供できる。尚、本発明は介護以外にも使用でき、水産業、園芸、農業、動物用トリマーなどというように幅広い分野での用途が考えられる。
【図面の簡単な説明】
【図１】本発明の介護者用エプロンの正面図である。
【図２】本発明の介護者用エプロンの背面図である。
【図３】本発明の介護者用エプロンの側面図である。
【図４】本発明の介護者用エプロンの他実施例の正面図である。
【図５】従来の手袋と袖部が一体化された保護袖の斜視図である。
【符号の説明】
１；介護者用エプロン、２；襟ぐり、２ａ；襟ぐり幅、３；肩山、４；袖頭、５；袖、５ａ；袖部、５ｂ；手袋部、６；身頃、７；脇、８；帯、９；係止片、１０；係止部、１１；裾、１２；後袖ぐり、１３；マジックテープ（登録商標）、１４；保護袖、１５；熱溶接部。
【図１】
2004225202.tif 000003
【図２】
2004225202.tif 000004
【図３】
2004225202.tif 000005
【図４】
2004225202.tif 000006
【図５】
2004225202.tif 000007